(57)【要約】【課題】  泡消火設備に設置される一斉開放弁の感知用配管末端に設けられ、常時閉止されている手動起動装置であり、感知用配管内部が異常昇圧した際に内部の流体を排出するリリーフ機構が内蔵された手動起動装置を安価に製造可能とする。【解決手段】  手動起動装置はボール弁構造をしており、閉止位置にある弁体２２の流通路２２Ａから二次側接続口２０に連通する小孔２２Ｂが穿設されており、感知用配管１４の内部が異常昇圧した際に弁体２２が二次側方向に移動する構造とした。【選択図】    図２
2006255101.tif 000002
【特許請求の範囲】
【請求項１】
泡消火設備に設置される一斉開放弁の感知用配管末端に設けられ、常時閉止されている手動起動装置であり、感知用配管内部が異常昇圧した際に内部の流体を排出するリリーフ機構が内蔵された手動起動装置において、手動起動装置はボール弁構造をしており、閉止位置にあるボールの流通路から二次側接続口に連通する小孔が穿設されており、感知用配管内部が異常昇圧した際にボールが二次側方向に移動する構造であることを特徴とする手動起動装置。
【請求項２】
前記手動起動装置において、ボールは二次側から一次側に向かって弾発体により押圧されていることを特徴とする請求項１記載の手動起動装置。
【請求項３】
前記手動起動装置において、弾発体とは皿バネであることを特徴とする請求項２記載の手動起動装置。
【請求項４】
前記手動起動装置には、弾発体からボールに作用する力を調整するための調整手段が設けてあることを特徴とする請求項２または３記載の手動起動装置。
【請求項５】
泡消火設備に設置される一斉開放弁の感知用配管末端に設けられ、常時閉止されている手動起動装置であり、感知用配管内部が異常昇圧した際に内部の流体を排出するリリーフ機構が内蔵された手動起動装置において、手動起動装置はボール弁構造をしており、閉止位置にあるボールの流通路から二次側接続口に連通する小孔が穿設されており、該小孔と対向する位置に感知用配管内部が異常昇圧した際に開放されるリリーフ機構が設置されていることを特徴とする手動起動装置。
【発明の詳細な説明】
【技術分野】
【０００１】
本発明は、泡消火設備の末端に設置される手動起動装置に関するものである。
【背景技術】
【０００２】
自動車には非常に引火性の強いガソリンがタンクに入れられており、自動車が燃えたときには、水では消火ができない。そのため駐車場や自動車修理工場のように多数の自動車が置かれる建物では火災発生時に消火液を泡状にして散布する泡消火設備が設置されている。
【０００３】
泡消火設備は、燃焼物を泡で覆って酸素を遮断するため、ガソリンのように非常に引火性の強いものでも類焼を防ぎ容易に消火できるという優れた特長がある。
【０００４】
一般に泡消火設備とは、泡の原液を充填した原液タンク、水が溜められている貯水槽、一次側配管中に一定圧力を加える圧力タンク、原液と水とを混合する混合器、混合器で混合された消火液が通過することにより火災を感知して警報を発したり泡消火設備の付帯設備を稼働させたりする流水検知装置、火災時および検査時に弁の開閉を行う一斉開放弁、火災を感知して一斉開放弁の弁を開放する閉鎖型スプリンクラーヘッド、消火液を泡状にして散布する泡ヘッド、検査時に消火液を流出させる手動起動弁等から構成されている。
【０００５】
泡消火設備では、貯水槽、原液タンク、混合器、流水検知装置から一斉開放弁までの一次側配管には消火液が充填されているが、一斉開放弁から泡ヘッドまでの二次側配管中には消火液は充填されていない。一斉開放弁の一次側室に連通した制御室には火災感知用の閉鎖型スプリンクラーヘッドを取り付けた感知用配管が接続されており、この感知用配管にも消火液が充填されている。
【０００６】
泡消火設備が設置された建物で火災が発生すると、火炎近くに取り付けられていた火災感知用の閉鎖型スプリンクラーヘッドが作動する。すると閉鎖型スプリンクラーヘッドからは感知用配管内に充填されていた消火液が流出するため、感知用配管内の圧力が下がり、この圧力低下で一斉開放弁の中のピストン弁が開放されると同時に圧力タンクに設置されている圧力スイッチの指令で貯水槽のポンプが起動する。そしてポンプで圧送された水が混合器に流入すると、この水の勢いに引き込まれて原液タンク内の原液も混合器に流入し、混合器で混合されて泡を作るのに適した濃度の消火液となる。この消火液は流水検知装置からさらに一斉開放弁を通って二次側配管に流入し、それが泡ヘッドから散布される。消火液が泡ヘッドから散布されるときに泡ヘッドでは空気を巻き込んで泡を作り、該泡が火災の火元を覆って窒息状態にして消火を行う。
【０００７】
ところで泡消火設備では、火災感知用の閉鎖型スプリンクラーヘッドや一斉開放弁は安全率を充分に考慮して設計されており、通常圧力に対して３倍の圧力にも耐えられるようになっている。しかしながら、配管内が３ＭＰａ以上の圧力になってしまうと、設計安全率を越えてしまうため、火災感知用の閉鎖型スプリンクラーヘッドや一斉開放弁、配管、その他の付帯設備を破損してしまうおそれがある。
【０００８】
駐車場に設置した泡消火設備で感知用配管内が異常高圧になる原因は、駐車場には天井がなく、屋根に近いところに感知用配管が敷設されているため、真夏の直射日光で屋根が熱せられると感知用配管が熱せられることにより、該配管内の消火液が熱膨張される。すると容積の小さな配管内では、消火液の少しの膨張でも配管内の圧力が通常の３〜５倍になってしまう。
【０００９】
本発明出願人は、かかる問題に鑑みて配管内や一斉開放弁内が高圧となった際に、感知用配管の末端から圧力を排出する発明を提案した（特許文献１参照。）。特許文献１の発明によれば、感知用配管の末端に取り付けられた手動起動弁にバイパス流通路を設置し、該バイパス流通路に異常高圧の消火液を流出させることのできるリリーフ弁を設置して、感知用配管内が異常昇圧したときにリリーフ弁より配管内の流体を排水管に排出するものである。また、別の実施例として、手動起動弁の内部にバイパスを形成し、該バイパス上にリリーフ弁を設置したものがあり、一体構造でコンパクトな構成にしたものもある。
【００１０】
【特許文献１】特開平８−８９５９４号公報  （第３−４頁、第２図）
【発明の開示】
【発明が解決しようとする課題】
【００１１】
特許文献１に記載されているリリーフ弁を内蔵した手動起動弁は、製造コストが高いという問題があり現状では実施に至っていない。そこで本発明では、感知用配管内が異常昇圧した際に内部の流体を排出可能な手動起動弁を安価に製造可能とすることを目的としている。
【課題を解決するための手段】
【００１２】
上記の目的を達成するために、請求項１記載の発明は、泡消火設備に設置される一斉開放弁の感知用配管末端に設けられ、常時閉止されている手動起動装置であり、感知用配管内部が異常昇圧した際に内部の流体を排出するリリーフ機構が内蔵された手動起動装置において、手動起動装置はボール弁構造をしており、閉止位置にあるボールの流通路から二次側接続口に連通する小孔が穿設されており、感知用配管内部が異常昇圧した際にボールが二次側方向に移動する構造である手動起動装置である。
【００１３】
請求項２記載の発明は、前記手動起動装置において、ボールは二次側から一次側に向かって弾発体により押圧されている請求項１記載の手動起動装置である。
【００１４】
請求項３記載の発明は、前記手動起動装置において、弾発体とは皿バネである請求項２記載の手動起動装置である。
【００１５】
請求項４記載の発明は、前記手動起動装置には、弾発体からボールに作用する力を調整するための調整手段が設けてあることを特徴とする請求項２または３記載の手動起動装置である。
【００１６】
請求項５記載の発明は、泡消火設備に設置される一斉開放弁の感知用配管末端に設けられ、常時閉止されている手動起動装置であり、感知用配管内部が異常昇圧した際に内部の流体を排出するリリーフ機構が内蔵された手動起動装置において、手動起動装置はボール弁構造をしており、閉止位置にあるボールの流通路から二次側接続口に連通する小孔が穿設されており、該小孔と対向する位置に感知用配管内部が異常昇圧した際に開放されるリリーフ機構が設置されている手動起動装置である。
【発明の効果】
【００１７】
請求項１記載の発明によれば、感知用配管内が異常昇圧した際に、ボールが二次側方向に移動することで、ボールと一次側のボールシートの間に隙間が生じ、該隙間に感知用配管内の流体が流れ込み、ボールの流通路を通り二次側接続口へと続く小孔から二次側接続口に接続された排水管へと流出される。
【００１８】
請求項２記載の発明によれば、ボールは弾発体により二次側から一次側に向かって押圧されており、上記のように感知用配管内が異常昇圧した際には、感知用配管内の圧力によって弾発体が圧縮されてボールが二次側方向に移動する。ボールの移動により感知用配管内の流体が排水管に流出して感知用配管内の圧力が降下すると、弾発体によってボールが元の位置に戻る作用を有する。
【００１９】
請求項３記載の発明によれば、弾発体として皿バネを使用することで、環状に均一に力が作用することからシール性能が安定する。また手動起動装置をコンパクトに構成可能である。
【００２０】
請求項４記載の発明によれば、弾発体からボールに作用する力を調整するための調整手段を設けたことで、泡消火設備が設置されている建物の環境や状況に合わせて弾発体からボールに作用する力を任意に設定することが可能となる。
【００２１】
請求項５記載の発明によれば、リリーフ機構をボールに設置したことにより、手動起動装置の更なるコンパクト化が図られるものである。
【実施例１】
【００２２】
以下、この発明の実施例１を図１から図３を参照して説明する。図１は泡消火設備の配管系統図、図２は実施例１の手動起動弁の断面図、図３は感知用配管内が異常昇圧した際の手動起動弁の断面図である。
【００２３】
図１に示す泡消火設備は、貯水槽１とポンプ２が混合器３に接続されており、その途中には圧力タンク４が接続されている。また混合器３には原液タンク５が接続されている。さらに混合器３は流水検知装置６に接続されており、流水検知装置６は一斉開放弁７に接続されている。この貯水槽１から一斉開放弁７までが一次側配管８である。
【００２４】
また一斉開放弁７は、内部が一次側室９と二次側室１０に仕切られており、仕切った開口部の一次側室の方にはピストン弁１１が上下動自在に設置されている。そして一次側室９には前述一次側配管８が接続され、一次側室と連通した制御室１２には多数の感知用閉鎖型スプリンクラーヘッド１３…を取り付けた感知用配管１４が接続されている。
【００２５】
一斉開放弁７の二次側室１０には閉止弁１５が接続され、その先には閉鎖型スプリンクラーヘッドよりも多い数の泡ヘッド１６…を取り付けた二次側配管１７が接続されている。
【００２６】
感知用配管１４の末端には、開放時に閉鎖型スプリンクラーヘッド一個分と略同一の消火液を流出させることのできる手動起動弁１８が取り付けられている。
【００２７】
図２に示す手動起動弁１８は常時において閉止状態にあり、一次側接続口１９は感知用配管１４と接続しており、二次側接続口２０は排水管２１と接続される。
【００２８】
手動起動弁１８の内部はボール弁構造となっており、ボール状の弁体２２が設置され、弁体２２に穿設されている流通路２２Ａは、常時において一次側接続口１９および二次側接続口２０と連通されていない。また、二次側接続口１９側から流通路２２Ａへ直角に交わる小孔２２Ｂが穿設されている。
【００２９】
弁体２２と接続口１９、２０との間には各々ボールシート２３、２４が設置されている。二次側接続口２０とボールシート２４との間には、皿バネ２５およびボールシート受け２６が介在している。
【００３０】
皿バネ２５が弁体２２に作用する力は、２つの弁箱が接続されるネジ部２７の締め具合によって調整可能であり、泡消火設備が設置されている建物の環境に合わせて皿バネ２５が弁体２２に作用する力を変えることができる。
【００３１】
続いて、実施例１の手動起動弁の作用について説明する。
【００３２】
手動起動弁１８は、前述のように常時において閉止状態にあり、弁体２２の流通路２２Ａが一次側接続口１９および二次側接続口２０に対して垂直に位置しており、また弁体２２は皿バネ２５によってボールシート２３に押圧されているので感知用配管１４内の消火液は二次側の排水管２１へ流れない状態にある。
【００３３】
感知用配管１４内の消火液が温度の上昇により昇圧されて、消火液の圧力が皿バネ２５が弁体２２に作用している力よりも上回ると皿バネ２５は押し潰されて、弁体２２およびボールシート２４、ボールシート受け２６が二次側方向に移動する。
【００３４】
弁体２２が移動したことで、弁体２２と一次側に設置されたボールシート２３との間には隙間が生じ、該隙間へ感知用配管１４内の消火液が流れ込み、弁体２２の流通路２２Ａから小孔２２Ｂを通過して二次側接続口２０に流出し、排水管２１へと排出される。
【００３５】
感知用配管１４内の消火液が排出されて、消火液の圧力によって弁体２２に作用する力が皿バネ２５の作用する力よりも小さくなると、弁体２２は元の位置に戻りボールシート２３によって封止され、消火液の排出が停止する。
【実施例２】
【００３６】
次に、実施例２について図４を参照して説明する。図４は、実施例２の手動起動弁の断面図である。なお、実施例２において実施例１と構造が同じ部分は同符号を付して説明は省略する。
【００３７】
実施例２における実施例１との相違点は、感知用配管１４内部の消火液が異常昇圧した際に開放されるリリーフ機構を、弁体２２に設けたことである。弁体２２の流通路２２Ａと直角に交わる小孔２２Ｂと対向する位置に、リリーフ機構３０が設けられている。
【００３８】
リリーフ機構３０は、弁体３１、ロッド３２、皿バネ３３から構成されている。
【００３９】
弁体２２の小孔２２Ｂと対向する位置には穴３４が穿設され、該穴３４を貫通してロッド３２が設置されている。ロッド３２の流通路２２Ａ側の端には弁体３１が固定されている。反対側の端はフランジ３５となっており、リリーフ機構３０が穴３４から抜けない構造になっている。
【００４０】
穴３４とフランジ３５との間には皿バネ３３が介在されており、該皿バネ３３によって弁体３１は流通路２２Ａと密着され穴３４が塞がれた状態となる。弁体３１と流通路２２Ａとの間に封止部材を設置してもよい。
【００４１】
実施例２の作用は、実施例１と同様であるので説明は省略する。
【産業上の利用可能性】
【００４２】
本発明の手動起動装置は、泡消火設備の他にスプリンクラー消火設備に適用することも可能である。また消火設備以外の配管設備に用いることも可能である。
【図面の簡単な説明】
【００４３】
【図１】泡消火設備の配管系統図
【図２】実施例１の手動起動装置の断面図
【図３】図２の手動起動装置において感知用配管内が異常昇圧した状態
【図４】実施例２の手動起動装置
【符号の説明】
【００４４】
１  貯水槽
２  ポンプ
３  混合器
４  圧力タンク
５  原液タンク
６  流水検知装置
７  一斉開放弁
１４  感知用配管
１８  手動起動弁
２２  弁体
２３、２４  ボールシート
２５  皿バネ
３０  リリーフ機構
【図１】
2006255101.tif 000003
【図２】
2006255101.tif 000004
【図３】
2006255101.tif 000005
【図４】
2006255101.tif 000006